(57)【要約】【課題】金属製のシャーシによるケーブルの破損を防止する。【解決手段】情報処理装置１００は、ディスプレイユニット１１０と、ディスプレイユニットを支持する金属製のシャーシ１２０と、金属製のシャーシが取付けられる第１面１３１ａを有するシャーシ本体１３１と、シャーシ本体の周囲においてディスプレイユニット側に突出して設けられディスプレイユニットの少なくとも側面及び底面を支持する外枠１３２と、を有する樹脂製のシャーシ１３０と、ケーブル１４５と、を備え、ケーブルは、シャーシ本体の第１面の反対側の第２面１３１ｂに配線される。【選択図】図４
2018109864.tif 000002
【特許請求の範囲】
【請求項１】
ディスプレイユニットと、
前記ディスプレイユニットを支持する金属製のシャーシと、
前記金属製のシャーシが取付けられる第１面を有するシャーシ本体と、前記シャーシ本体の周囲において前記ディスプレイユニット側に突出して設けられ前記ディスプレイユニットの少なくとも側面及び底面を支持する外枠と、を有する樹脂製のシャーシと、
ケーブルと、を備え、
前記ケーブルは、前記シャーシ本体の前記第１面の反対側の第２面に配線される、
情報処理装置。
【請求項２】
前記樹脂製のシャーシの前記第２面に前記ケーブルを固定する留め具が形成されている、請求項１に記載の情報処理装置。
【発明の詳細な説明】
【技術分野】
【０００１】
本出願は、ディスプレイユニットを備える情報処理装置に関する。
【背景技術】
【０００２】
デスクトップ型のパーソナルコンピュータ（以下、パソコンと称する）等の情報処理装置では、金属製のシャーシに、プリント基板、ハードディスク及び光ディスクドライブ等の内蔵ユニットが搭載されている。また、ディスプレイユニットとパソコン本体とが一体となったオールインワンのデスクトップ型のパソコンでは、フロントベゼル、ディスプレイユニット、金属製のシャーシ、内蔵ユニット、樹脂製のリアカバーがこの順に組み立てられる。金属製のシャーシは板金を加工したもので、樹脂製のカバーと比較して強固であり、大画面のディスプレイユニットを有するデスクトップ型のパソコンではその剛性を確保するために用いられる。そして、金属製のシャーシは、金属製スタッドが設けられたり、タップ加工が施されたりすることで、金属製のシャーシに部品がネジ止め可能に形成される。そのため、金属製のシャーシに、例えば樹脂製のフロントベゼル、ディスプレイユニット及び内蔵ユニットを固定することができる。そして、内蔵ユニットをプリント基板に接続するケーブルが金属製のシャーシに配線される。
【０００３】
金属製のシャーシにケーブルが配線されると、例えばパソコンの組立時にケーブルが金属製のシャーシのエッジ部分に擦れて、ケーブルが断線又は被覆が破損する可能性がある。金属製のシャーシにケーブルを配線する際、そのケーブルを保護するために、シャーシのエッジごとに、折曲加工したり別途の保護部材を取付ける技術が知られている（例えば、特許文献１〜３参照）。
【先行技術文献】
【特許文献】
【０００４】
【特許文献１】特開２００６−１３５０２８号公報
【特許文献２】特開２００１−００７５６９号公報
【特許文献３】実開平４−１１３３１４号公報
【発明の概要】
【発明が解決しようとする課題】
【０００５】
しかしながら、金属製のシャーシのエッジごとに加工したり保護部材を取付けたりすることは手間がかかるという課題がある。
【０００６】
１つの側面では、本発明は保護部材等を別途取付けることなく、ケーブルの破損が防止される情報処理装置を提供することを目的とする。
【課題を解決するための手段】
【０００７】
１つの形態によれば、ディスプレイユニットと、ディスプレイユニットを支持する金属製のシャーシと、金属製のシャーシが取付けられる第１面を有するシャーシ本体と、シャーシ本体の周囲においてディスプレイユニット側に突出して設けられディスプレイユニットの少なくとも側面及び底面を支持する外枠と、を有する樹脂製のシャーシと、ケーブルと、を備え、ケーブルは、シャーシ本体の第１面の反対側の第２面に配線される、情報処理装置が提供される。
【発明の効果】
【０００８】
情報処理装置により、保護部材等を別途取付けることなく、ケーブルの破損が防止される。
【図面の簡単な説明】
【０００９】
【図１】（ａ）は開示のデスクトップ型のパソコンの前面を示す図で、ディスプレイ側をディスプレイ前方の斜め上方向から見た斜視図であり、（ｂ）はパソコンの背面を示す図で、リアカバー側をリアカバーの後方の斜め上方向から見た斜視図である。
【図２】比較技術であるデスクトップ型のパソコンの構造を示す分解斜視図である。
【図３】（ａ）は比較技術であるデスクトップ型のパソコンの金属製のシャーシに内蔵ユニットが取付けられた状態を示す斜視図であり、（ｂ）は一部を拡大して接続ケーブルが配線された状態を示す斜視図である。
【図４】開示のデスクトップ型のパソコンの構造を示す分解斜視図である。
【図５】開示のデスクトップ型のパソコンのリアカバーを取り外した状態を示す斜視図である。
【図６】（ａ）は開示のデスクトップ型のパソコンの樹脂製のシャーシに内蔵ユニットが取付けられた状態を示す斜視図であり、（ｂ）は一部を拡大して接続ケーブルが配線された状態を示す斜視図である。
【図７】図５のＶＩＩ−ＶＩＩ線に沿った断面を示す部分拡大斜視図である。
【発明を実施するための形態】
【００１０】
以下、添付図面を用いて本出願の実施の形態を、具体的な実施例に基づいて詳細に説明する。また、以下の実施の形態において同一又は類似の要素には共通の参照符号を付けて示し、理解を容易にするために、これらの図面は縮尺を適宜変更している。
【００１１】
図１（ａ）及び図１（ｂ）に示されるように、本実施形態の情報処理装置の一例であるオールインワンのデスクトップ型パソコン１００（以下、パソコン１００）は、ディスプレイユニット１１０、樹脂製のシャーシ１３０及びリアカバー１５０を備える。パソコン１００は、脚１５１により自立可能になっている。また、パソコン１００は、図示しないキーボード及びマウス等の入力機器と接続し、使用者により操作される。
【００１２】
ここで、比較技術である情報処理装置のパソコンについて図２〜図３（ｂ）を用いて説明する。図２は、比較技術であるパソコン２００の内部を示す分解斜視図である。パソコン２００は、図１のパソコン１００と同様、オールインワンのデスクトップ型パソコンであり、ディスプレイユニットと、プリント基板等を含む内蔵ユニットが一体的に形成される。比較技術のパソコン２００は、図２に示されるように、その表示面側から見て（図２の矢印Ａ方向から見て）、樹脂製のフロントベゼル２０５、ディスプレイユニット２１０、金属製のシャーシ２２０がこの順に接合される。そして、内蔵ユニット２４０が金属製のシャーシに２２０に取付けられる。内蔵ユニット２４０には、プリント基板２４１、ハードディスクドライブ２４２及び光ディスクドライブ２４３等が含まれる。そして、最後に樹脂製のリアカバー２５０が、内蔵ユニット２４０を覆うように金属製のシャーシ２２０に取付けられる。
【００１３】
ディスプレイユニット２１０は、例えば液晶ディスプレイ（li1uid crisytal display:ＬＣＤ)等の表示装置とそれを表示するための回路を備えたユニットである。樹脂製のフロントベゼル２０５は、ディスプレイユニット２１０の表示面側に設けられる部材であり、ディスプレイユニット２１０の表示部の周囲、及び、ディスプレイユニット２１０の側部を覆う。金属製のシャーシの２２０は、板金を加工した部材であり、金属製スタッドが設けられると共にタップ加工が施されることで、他の部材、例えばプリント基板２４１をネジ止めすることができる。比較技術のパソコン２００では、金属製のシャーシ２２０にディスプレイユニット２１０及び内蔵ユニット２４０が固定される。
【００１４】
金属製のシャーシ２２０は、パソコン２００の骨格としてパソコン２００の中心に位置しており、金属製のシャーシの２２０の表裏、すなわち前面及び背面のそれぞれに部品が取り付けられる。具体的には、図３（ａ）に示されるように、金属製のシャーシ２２０に、ディスプレイユニット２１０、内蔵ユニット２４０であるプリント基板２４１及びハードディスクドライブ２４２等が固定される。金属製のシャーシの２２０は、その基本構造の形状に加え、内蔵ユニット２４０の固定に必要な形状等を、抜き又は曲げ加工により形成される。そのため、金属製のシャーシ２２０はその形状が複雑になりやすく、樹脂製のカバー等の樹脂製の部材と比較すると、その設計形状の自由度が制限される。
【００１５】
さらに、パソコン２００の内部には、図３（ｂ）に示されるように、内蔵ユニット２４０を電気的に接続する接続ケーブル２４５が配線される。接続ケーブル２４５は金属製のシャーシ２２０上に直接配置されることから、例えば組立時に金属製のシャーシ２２０のエッジで、接続ケーブル２４５の被覆が傷付けられる又は断線される可能性がある。そのため、金属製のシャーシ２２０の一部にエッジ処理をするために、面打ち加工するか、エッジにテープ又はシート等を貼り付ける、接続ケーブル２４５が保護されるようにする。
【００１６】
本実施形態のパソコン１００は、図４に示されるように、ディスプレイユニット１１０と、金属製のシャーシ１２０と、樹脂製のシャーシ１３０とが、この順に接合される。そして、プリント基板１４１を含む複数の内蔵ユニット１４０が樹脂製のシャーシ１３０に取付けられる。樹脂製のリアカバー１５０が、内蔵ユニット１４０を覆うように金属製のシャーシ１２０又は樹脂製のシャーシ１３０に取付けられる。
【００１７】
近年のディスプレイユニット１１０は、実際の表示面と枠までの距離が比較的小さく狭幅となったものが製造されている。そのため、ディスプレイユニット１１０は、その両側面、上面及び底面を保護する枠のみで十分になった。本実施形態のパソコン１００の樹脂製のシャーシ１３０は、金属製のシャーシ１２０と接続し内蔵ユニット１４０を固定するシャーシ本体１３１と、シャーシ本体１３１を囲うよう設けられた外枠１３２とを備える。外枠１３２は、少なくともディスプレイユニット１１０側に突出するよう設けられ、外枠１３２の内側に、ディスプレイユニット１１０と、金属製のシャーシ１２０とが収容される。ディスプレイユニット１１０は収容されることで、外枠１３２によりディスプレイユニット１１０の少なくとも側面と底面とが支持されるようになる。また、外枠１３２内にディスプレイユニット１１０が収容されることから、ディスプレイユニット１１０の側面、上面及び底面が保護されるようになる。
【００１８】
内蔵ユニット１４０は、比較技術のパソコン２００の内蔵ユニットと同様であり、例えばプリント基板１４１、ハードディスクドライブ１４２、光ディスクドライブ１４３を含む。
【００１９】
図５に示されるように、樹脂製のシャーシ１３０のシャーシ本体１３１の背面側の第２面１３１ｂには、例えば光ディスクドライブ１４３の固定具１３６が成形により形成される。そして、内蔵ユニット１４０の一つである光ディスクドライブ１４３は固定具１３６等を利用して第２面１３１ｂに取付けられる。一方、金属製のシャーシ１２０は、シャーシ本体１３１の第２面１３１ｂの反対側の第１面１３１ａに取付けられる。
【００２０】
図６（ａ）及び図６（ｂ）に示されるように、光ディスクドライブ１４３とプリント基板１４１とを電気的に接続する接続ケーブル１４５（ケーブルの一例）が、シャーシ本体１３１の第２面１３１ｂ側に配線される。このとき、第２面１３１ｂ側に配線された接続ケーブル１４５は移動しないよう、例えば樹脂製のシャーシ１３０に形成されている留め具１３８により固定される。金属製のシャーシ１２０は、シャーシ本体１３１の第１面１３１ａに取付けられることから、接続ケーブル１４５は直接に金属製のシャーシ１２０に接触することがない。そのため、接続ケーブル１４５は、金属製のシャーシ１２０による破損から防止される。
【００２１】
また、樹脂製のシャーシ１３０には、図７に示されるように、金属製のシャーシ１２０のエッジ１２１を覆うカバー部１３７が設けられる。また、カバー部１３７の頂部には、接続ケーブル１４５を把持して固定する留め具１３８が設けられている。
【００２２】
上述したように樹脂製のシャーシ１３０には、例えば内蔵ユニット１４０の光ディスクドライブ１４３の固定具１３６、及び、接続ケーブル１４５を固定する留め具１３８が成形により形成される。金属製のシャーシ１２０には、ディスプレイユニット１１０と、樹脂製のシャーシ１３０とを取付けるためのネジ穴等があればよい。そのため、金属製のシャーシ１２０に、内蔵ユニット１４０を固定に必要な形状等を抜き又は曲げ加工で形成することがなく、金属製のシャーシ１２０の形状を複雑にすることがない。また、金属製のシャーシ１２０を用いていることから、パソコン１００の剛性は、比較技術のパソコン２００と同様に維持される。
【００２３】
樹脂製のシャーシ１３０は、型枠を用いて成形することで作製することができるため、接続ケーブル１４５等を配置するための留め具１３８等の形状が容易にでき、設計の自由度が高い。また、接続ケーブル１４５は樹脂製のシャーシ１３０により、金属製のシャーシ１２０のエッジに触れる危険性がないため、接続ケーブル１４５の被覆を傷付けることから防止される。
【００２４】
以上、本出願を特にその好ましい実施の形態を参照して詳細に説明した。本出願の容易な理解のために、本出願の具体的な形態を以下に付記する。
【００２５】
（付記１）ディスプレイユニットと、
前記ディスプレイユニットを支持する金属製のシャーシと、
前記金属製のシャーシが取付けられる第１面を有するシャーシ本体と、前記シャーシ本体の周囲において前記ディスプレイユニット側に突出して設けられ前記ディスプレイユニットの少なくとも側面及び底面を支持する外枠と、を有する樹脂製のシャーシと、
ケーブルと、を備え、
前記ケーブルは、前記シャーシ本体の前記第１面の反対側の第２面に配線される、
情報処理装置。
（付記２）前記樹脂製のシャーシの前記第２面に前記ケーブルを固定する留め具が形成されている、付記１に記載の情報処理装置。
【符号の説明】
【００２６】
１００、２００    パソコン
２０５    フロントベゼル
１１０、２１０    ディスプレイユニット
１２０、２２０    金属製のシャーシ
１３０、２３０    樹脂製のシャーシ
１３１    シャーシ本体
１３１ａ    第１面
１３１ｂ    第２面
１３２    外枠
１３６    固定具
１３８    留め具
１４０、２４０    内蔵ユニット
１５０、２５０    リアカバー
１５１    脚
１４１、２４１    プリント基板
１４２、２４２    ハードディスクドライブ
１４３、２４３    光ディスクドライブ
１４５、２４５    接続ケーブル
【図１】
2018109864.tif 000003
【図２】
2018109864.tif 000004
【図３】
2018109864.tif 000005
【図４】
2018109864.tif 000006
【図５】
2018109864.tif 000007
【図６】
2018109864.tif 000008
【図７】
2018109864.tif 000009